(57)【特許請求の範囲】
【請求項１】
スキャナー部と、操作パネル処理部と、制御部と、画像処理部と、記憶部と、補助記憶部とを備えた画像形成装置において、
前記スキャナー部は、原稿載置台の原稿をスキャンし、前記原稿をデジタル化したデジタルデータを作成し、前記画像処理部に出力し、
前記画像処理部は、前記スキャナー部から読み取った前記原稿の前記デジタルデータが入力されると、前記デジタルデータから画像属性情報及び画像データを作成し、
前記制御部は、前記画像属性情報及び前記画像データを前記補助記憶部に保存する画像登録保存処理部と、前記画像属性情報及び前記画像データからイメージログを作成して前記記憶部に保存するイメージログ作成保存処理部を備え、
前記操作パネル処理部は、所定の判定基準に基づいて白紙ページと判定される原稿の白紙ページ画像について、管理者による原稿白紙ページ画像不作成機能の有無設定を入力する処理を行ない、
前記操作パネル処理部は、前記原稿白紙ページ画像不作成機能・無が設定された場合に、さらに、前記管理者による白紙ページ画像登録の有無設定を入力する処理と、前記管理者による白紙ページ画像イメージログ出力の有無設定を入力する処理を行い、
前記スキャナー部は、（１）前記原稿白紙ページ画像不作成機能・有が設定された場合、前記原稿の全ページをスキャンして白紙ページを除いて前記デジタルデータを作成し、（２）前記原稿白紙ページ画像不作成機能・無が設定された場合、前記原稿の全ページをスキャンして前記白紙ページを含めて前記デジタルデータを作成し、
前記画像登録保存処理部は、前記原稿白紙ページ画像不作成機能・無が設定された状態で、（１）前記白紙ページ画像登録・有が設定されている場合、前記デジタルデータに基づいて前記白紙ページを含めた前記画像属性情報及び前記白紙ページを含めた前記画像データを前記補助記憶部に保存し、（２）前記白紙ページ画像登録・無が設定されている場合、前記デジタルデータに基づいて前記白紙ページを含めた前記画像属性情報及び前記白紙ページを除いた前記画像データを前記補助記憶部に保存し、
前記イメージログ作成保存処理部は、前記原稿白紙ページ画像不作成機能・無が設定され、前記白紙ページ画像登録・有が設定された状態で、（１）前記白紙ページ画像イメージログ出力・有が設定されている場合、前記画像データから作成した前記イメージログを前記記憶部に保存し、（２）前記白紙ページ画像イメージログ出力・無が設定されている場合、前記補助記憶部に記憶された前記画像データから前記白紙ページを除いて作成した前記イメージログを前記記憶部に保存し、
前記イメージログ作成保存処理部は、前記原稿白紙ページ画像不作成機能・無が設定され、前記白紙ページ画像登録・無が設定された状態で、（１）前記白紙ページ画像イメージログ出力・有が設定されている場合、前記画像属性情報に基づいて白紙ページを含めて作成した全てのページについての前記イメージログを前記記憶部に保存し、（２）前記白紙ページ画像イメージログ出力・無が設定されている場合、前記補助記憶部に記憶された前記画像データから作成した前記イメージログを前記記憶部に保存する、
ことを特徴とする画像形成装置。
【請求項２】
前記操作パネル処理部は、ユーザーＩＤを入力する処理を行ない、
前記イメージログ作成保存処理部は、前記ユーザーＩＤ及び現在日時を名称とするファイルを前記記憶部に作成し、前記イメージログを前記ファイルに保存することを特徴とする請求項１に記載の画像形成装置。
【請求項３】
前記画像属性情報は、少なくとも、前記画像データの画質、解像度、サイズ、回転方向、色、及び前記白紙ページの有無と、前記白紙ページが有るときには白紙ページ位置の情報を含むことを特徴とする請求項１または２に記載の画像形成装置。
【請求項４】
前記記憶部はハードディスクドライブであり、前記補助記憶部はフラッシュメモリであることを特徴とする請求項１から請求項３のいずれか１項に記載の画像形成装置。
【請求項５】
ネットワークに接続された画像形成装置と外部サーバーを有する画像処理システムであって、
前記外部サーバーは、
前記画像形成装置から送信されたイメージログを保存し、
前記画像形成装置は、
スキャナー部と、操作パネル処理部と、制御部と、画像処理部と、補助記憶部とを備え、
前記スキャナー部は、原稿載置台の原稿をスキャンし、前記原稿をデジタル化したデジタルデータを作成し、前記画像処理部に出力し、
前記画像処理部は、前記スキャナー部から読み取った前記原稿の前記デジタルデータが入力されると、前記デジタルデータから画像属性情報及び画像データを作成し、
前記制御部は、前記画像属性情報及び前記画像データを前記補助記憶部に保存する画像登録保存処理部と、前記画像属性情報及び前記画像データから前記イメージログを作成して前記外部サーバーに送信して保存させるイメージログ作成保存処理部を備え、
前記操作パネル処理部は、所定の判定基準に基づいて白紙ページと判定される原稿の白紙ページ画像について、管理者による原稿白紙ページ画像不作成機能の有無設定を入力する処理を行ない、
前記操作パネル処理部は、前記原稿白紙ページ画像不作成機能・無が設定された場合に、さらに、前記管理者による白紙ページ画像登録の有無設定を入力する処理と、前記管理者による白紙ページ画像イメージログ出力の有無設定を入力する処理を行い、
前記スキャナー部は、（１）前記原稿白紙ページ画像不作成機能・有が設定された場合、前記原稿の全ページをスキャンして白紙ページを除いて前記デジタルデータを作成し、（２）前記原稿白紙ページ画像不作成機能・無が設定された場合、前記原稿の全ページをスキャンして前記白紙ページを含めて前記デジタルデータを作成し、
前記画像登録保存処理部は、前記原稿白紙ページ画像不作成機能・無が設定された状態で、（１）前記白紙ページ画像登録・有が設定されている場合、前記デジタルデータに基づいて前記白紙ページを含めた前記画像属性情報及び前記白紙ページを含めた前記画像データを前記補助記憶部に保存し、（２）前記白紙ページ画像登録・無が設定されている場合、前記デジタルデータに基づいて前記白紙ページを含めた前記画像属性情報と前記白紙ページを除いた前記画像データとを前記補助記憶部に保存し、
前記イメージログ作成保存処理部は、前記原稿白紙ページ画像不作成機能・無が設定され、前記白紙ページ画像登録・有が設定された状態で、（１）前記白紙ページ画像イメージログ出力・有が設定されている場合、前記画像データから作成した前記イメージログを前記外部サーバーに送信して保存させ、（２）前記白紙ページ画像イメージログ出力・無が設定されている場合、前記補助記憶部に記憶された前記画像データから前記白紙ページを除いて作成した前記イメージログを前記外部サーバーに送信して保存させ、
前記イメージログ作成保存処理部は、前記原稿白紙ページ画像不作成機能・無が設定され、前記白紙ページ画像登録・無が設定された状態で、（１）前記白紙ページ画像イメージログ出力・有が設定されている場合、前記画像属性情報に基づいて白紙ページを含めて作成した全てのページについての前記イメージログを前記外部サーバーに送信して保存させ、（２）前記白紙ページ画像イメージログ出力・無が設定されている場合、前記補助記憶部に記憶された前記画像データから作成した前記イメージログを前記外部サーバーに送信して保存させる、
ことを特徴とする画像処理システム。
【請求項６】
前記操作パネル処理部は、ユーザーＩＤを入力する処理を行ない、
前記イメージログ作成保存処理部は、前記ユーザーＩＤ及び現在日時を名称とするファイルを前記外部サーバーに作成させ、前記イメージログを前記ファイルに送信して保存させることを特徴とする請求項５に記載の画像形成システム。
【請求項７】
前記画像属性情報は、少なくとも、前記画像データの画質、解像度、サイズ、回転方向、色、及び前記白紙ページの有無と、前記白紙ページが有るときには白紙ページ位置の情報を含むことを特徴とする請求項５または６に記載の画像形成システム。
【発明の詳細な説明】
【技術分野】
【０００１】
本発明は、原稿の画像データから機密情報が漏洩するのを監視するために、読み取られた全ての原稿の画像データを保存する画像形成装置及び画像処理システムに関する。
【背景技術】
【０００２】
プリンター、多機能プリンター、多機能周辺装置、又は複合機（Ｍｕｌｔｉｆｕｎｃｔｉｏｎ  Ｐｅｒｉｐｈｅｒａｌ）である画像形成装置は、原稿をスキャナーで読み取り、画像データに変換する機能を備えている。このように画像形成装置は読み取った原稿を画像データに容易に変換することができるので、ユーザーは機密情報が記載されている原稿の画像データを用紙にコピー、外部メモリに保存、または他の装置に送信することが可能である。このため、読み取った全ての原稿の画像データを、画像形成装置または画像形成装置とネットワークにより接続されている管理サーバーにイメージログとして保存し、保存されている画像データに機密情報が存在しないかを確認し、また読み取った原稿の画像データを監視していることをユーザーに知らせておくことで、機密情報が記載されている原稿の画像データの漏洩を防止している。しかし、読み取った全ての原稿の画像データを保存するには、画像形成装置や管理サーバーに大容量のハードディスクなどの記憶装置が必要となる。このため、画像データの記憶容量を節約するための対策が行われている。例えば、特許文献１の画像処理装置、画像処理システム及び画像処理プログラムでは、白紙原稿のページが検知された場合において、白紙原稿を最小画像に縮小してログ画像データに含める処理、白紙原稿を除いてログ画像データを作成する処理、最小画像に縮小した白紙原稿に「白紙」等の文字データを付加する処理、または白紙原稿も含めて画像データを作成する処理のいずれかを選択できるようにすることで、画像データの記憶容量の節約を可能にしている。
【先行技術文献】
【特許文献】
【０００３】
【特許文献１】特開２００８−２２５９２８号公報
【発明の概要】
【発明が解決しようとする課題】
【０００４】
しかし、特許文献1の画像処理装置、画像処理システム及び画像処理プログラムでは、白紙原稿を最小画像に縮小または白紙原稿を除いた画像データを作成してイメージログとして保存することで、画像データの記憶容量を節約することができるが、白紙原稿を最小画像に縮小または白紙原稿を除いた場合には白紙原稿が何ページあったかを管理者が正確に確認することができなかった。また、多量の白紙原稿と見なされた白紙ページに機密情報が隠蔽されていたときには検出できないという問題があった。
【０００５】
本発明はこのような状況に鑑みてなされたものであり、上記課題を解決できる画像形成装置及び画像処理システムを提供することを目的とする。
【課題を解決するための手段】
【０００６】
本発明の画像形成装置は、スキャナー部と、操作パネル処理部と、制御部と、画像処理部と、記憶部と、補助記憶部とを備えた画像形成装置において、前記スキャナー部は、原稿載置台の原稿をスキャンし、前記原稿をデジタル化したデジタルデータを作成し、前記画像処理部に出力し、前記画像処理部は、前記スキャナー部から読み取った前記原稿の前記デジタルデータが入力されると、前記デジタルデータから画像属性情報及び画像データを作成し、前記制御部は、前記画像属性情報及び前記画像データを前記補助記憶部に保存する画像登録保存処理部と、前記画像属性情報及び前記画像データからイメージログを作成して前記記憶部に保存するイメージログ作成保存処理部を備え、前記操作パネル処理部は、所定の判定基準に基づいて白紙ページと判定される原稿の白紙ページ画像について、管理者による原稿白紙ページ画像不作成機能の有無設定を入力する処理を行ない、前記操作パネル処理部は、前記原稿白紙ページ画像不作成機能・無が設定された場合に、さらに、前記管理者による白紙ページ画像登録の有無設定を入力する処理と、前記管理者による白紙ページ画像イメージログ出力の有無設定を入力する処理を行い、前記スキャナー部は、（１）前記原稿白紙ページ画像不作成機能・有が設定された場合、前記原稿の全ページをスキャンして白紙ページを除いて前記デジタルデータを作成し、（２）前記原稿白紙ページ画像不作成機能・無が設定された場合、前記原稿の全ページをスキャンして前記白紙ページを含めて前記デジタルデータを作成し、前記画像登録保存処理部は、前記原稿白紙ページ画像不作成機能・無が設定された状態で、（１）前記白紙ページ画像登録・有が設定されている場合、前記デジタルデータに基づいて前記白紙ページを含めた前記画像属性情報及び前記白紙ページを含めた前記画像データを前記補助記憶部に保存し、（２）前記白紙ページ画像登録・無が設定されている場合、前記デジタルデータに基づいて前記白紙ページを含めた前記画像属性情報及び前記白紙ページを除いた前記画像データを前記補助記憶部に保存し、前記イメージログ作成保存処理部は、前記原稿白紙ページ画像不作成機能・無が設定され、前記白紙ページ画像登録・有が設定された状態で、（１）前記白紙ページ画像イメージログ出力・有が設定されている場合、前記画像データから作成した前記イメージログを前記記憶部に保存し、（２）前記白紙ページ画像イメージログ出力・無が設定されている場合、前記補助記憶部に記憶された前記画像データから前記白紙ページを除いて作成した前記イメージログを前記記憶部に保存し、前記イメージログ作成保存処理部は、前記原稿白紙ページ画像不作成機能・無が設定され、前記白紙ページ画像登録・無が設定された状態で、（１）前記白紙ページ画像イメージログ出力・有が設定されている場合、前記画像属性情報に基づいて白紙ページを含めて作成した全てのページについての前記イメージログを前記記憶部に保存し、（２）前記白紙ページ画像イメージログ出力・無が設定されている場合、前記補助記憶部に記憶された前記画像データから作成した前記イメージログを前記記憶部に保存する、ことを特徴とする。
また、前記操作パネル処理部は、ユーザーＩＤを入力する処理を行ない、前記イメージログ作成保存処理部は、前記ユーザーＩＤ及び現在日時を名称とするファイルを前記記憶部に作成し、前記イメージログを前記ファイルに保存することを特徴とする。
また、前記画像属性情報は、少なくとも、前記画像データの画質、解像度、サイズ、回転方向、色、及び前記白紙ページの有無と、前記白紙ページが有るときには白紙ページ位置の情報を含むことを特徴とする。
また、前記記憶部はハードディスクドライブであり、前記補助記憶部はフラッシュメモリであることを特徴とする。
また、ネットワークに接続された画像形成装置と外部サーバーを有する画像処理システムであって、前記外部サーバーは、前記画像形成装置から送信されたイメージログを保存し、前記画像形成装置は、スキャナー部と、操作パネル処理部と、制御部と、画像処理部と、補助記憶部とを備え、前記スキャナー部は、原稿載置台の原稿をスキャンし、前記原稿をデジタル化したデジタルデータを作成し、前記画像処理部に出力し、前記画像処理部は、前記スキャナー部から読み取った前記原稿の前記デジタルデータが入力されると、前記デジタルデータから画像属性情報及び画像データを作成し、前記制御部は、前記画像属性情報及び前記画像データを前記補助記憶部に保存する画像登録保存処理部と、前記画像属性情報及び前記画像データから前記イメージログを作成して前記外部サーバーに送信して保存させるイメージログ作成保存処理部を備え、前記操作パネル処理部は、所定の判定基準に基づいて白紙ページと判定される原稿の白紙ページ画像について、管理者による原稿白紙ページ画像不作成機能の有無設定を入力する処理を行ない、前記操作パネル処理部は、前記原稿白紙ページ画像不作成機能・無が設定された場合に、さらに、前記管理者による白紙ページ画像登録の有無設定を入力する処理と、前記管理者による白紙ページ画像イメージログ出力の有無設定を入力する処理を行い、前記スキャナー部は、（１）前記原稿白紙ページ画像不作成機能・有が設定された場合、前記原稿の全ページをスキャンして白紙ページを除いて前記デジタルデータを作成し、（２）前記原稿白紙ページ画像不作成機能・無が設定された場合、前記原稿の全ページをスキャンして前記白紙ページを含めて前記デジタルデータを作成し、前記画像登録保存処理部は、前記原稿白紙ページ画像不作成機能・無が設定された状態で、（１）前記白紙ページ画像登録・有が設定されている場合、前記デジタルデータに基づいて前記白紙ページを含めた前記画像属性情報及び前記白紙ページを含めた前記画像データを前記補助記憶部に保存し、（２）前記白紙ページ画像登録・無が設定されている場合、前記デジタルデータに基づいて前記白紙ページを含めた前記画像属性情報と前記白紙ページを除いた前記画像データとを前記補助記憶部に保存し、前記イメージログ作成保存処理部は、前記原稿白紙ページ画像不作成機能・無が設定され、前記白紙ページ画像登録・有が設定された状態で、（１）前記白紙ページ画像イメージログ出力・有が設定されている場合、前記画像データから作成した前記イメージログを前記外部サーバーに送信して保存させ、（２）前記白紙ページ画像イメージログ出力・無が設定されている場合、前記補助記憶部に記憶された前記画像データから前記白紙ページを除いて作成した前記イメージログを前記外部サーバーに送信して保存させ、前記イメージログ作成保存処理部は、前記原稿白紙ページ画像不作成機能・無が設定され、前記白紙ページ画像登録・無が設定された状態で、（１）前記白紙ページ画像イメージログ出力・有が設定されている場合、前記画像属性情報に基づいて白紙ページを含めて作成した全てのページについての前記イメージログを前記外部サーバーに送信して保存させ、（２）前記白紙ページ画像イメージログ出力・無が設定されている場合、前記補助記憶部に記憶された前記画像データから作成した前記イメージログを前記外部サーバーに送信して保存させる、ことを特徴とする。
また、前記操作パネル処理部は、ユーザーＩＤを入力する処理を行ない、前記イメージログ作成保存処理部は、前記ユーザーＩＤ及び現在日時を名称とするファイルを前記外部サーバーに作成させ、前記イメージログを前記ファイルに送信して保存させることを特徴とする。
また、前記画像属性情報は、少なくとも、前記画像データの画質、解像度、サイズ、回転方向、色、及び前記白紙ページの有無と、前記白紙ページが有るときには白紙ページ位置の情報を含むことを特徴とする。
【発明の効果】
【０００７】
本発明は、イメージログの記憶容量の節約、イメージログにおける白紙原稿のページ数の確認、または白紙原稿に機密情報が隠蔽されていないかの確認を容易に行うことができる画像形成装置及び画像処理システムを提供する。
【図面の簡単な説明】
【０００８】
【図１】本発明の実施形態に係る画像形成装置の機能構成を示す図である。
【図２】本発明の実施形態に係る画像ドキュメントボックスのディレクトリー構成を示す図である。
【図３】本発明の実施形態に係る原稿の白紙ページをスキャンして作成した白紙ページ画像をイメージログに出力するまでの設定と処理を説明する図である。
【図４】本発明の実施形態に係る画像登録保存処理の流れを示すフローチャートである。
【図５】本発明の実施形態に係るイメージログ作成保存処理の流れを示すフローチャートである。
【発明を実施するための形態】
【０００９】
以下、本発明を実施するための形態（以下、「実施形態」という）を、図面を参照して説明する。
【００１０】
実施形態における画像形成装置１００の機能構成について、図１を用いて説明する。図１に示す画像形成装置１００は、制御部１０１、補助記憶部１０２、記憶部１０３、操作パネル１０４、操作パネル処理部１０５、スキャナー部１０６、画像処理部１０７、画像印刷部１０８、及びネットワーク通信部１０９を備えている。これらの各部は、バスなどにより接続される構成となっている。また、制御部１０１には、画像登録保存処理部１０１ａとイメージログ作成保存処理部１０１ｂを備えている。補助記憶部１０２には、画像ドキュメントボックス１０２ａを備えている。記憶部１０３にはイメージログ保存エリア１０３ａを備えている。
【００１１】
制御部１０１は、ＲＡＭやＲＯＭ等の主記憶手段、及びＭＰＵ(Micro Processing Unit)やＣＰＵ(Central Processing Unit)等の制御手段を備えている。また、制御部１０１は、各種Ｉ／Ｏや、ＵＳＢ（ユニバーサル・シリアル・バス）等のインターフェース、バスコントローラ等を含む総合的な画像形成装置１００のコントロールを行う。制御部１０１には、原稿を読み取って（以下、「スキャン」という）画像処理することで作成される画像属性情報及び画像データを画像ドキュメントボックス１０２ａに保存する画像登録保存処理部１０１ａと、画像属性情報及び画像データからイメージログを作成してイメージログ保存エリア１０３ａに保存するイメージログ作成保存処理部１０１ｂが設けられている。なお、画像属性情報には、画像データの画質、解像度、サイズ、回転方向、色、及び白紙ページの有無と白紙ページが有るときにはそのページ位置などの情報が設定されている。画像登録保存処理部１０１ａとイメージログ作成保存処理部１０１ｂの詳細については、後述する。
【００１２】
補助記憶部１０２は、制御部１０１が実行する処理のプログラムやデータが記憶されるフラッシュメモリである。画像ドキュメントボックス１０２ａは、画像登録保存処理部１０１ａにより画像属性情報と画像データとが保存される。画像ドキュメントボックス１０２ａのディレクトリー構成については、後述する。
【００１３】
記憶部１０３は、データやプログラムを保存するハードディスクドライブなどの記憶装置である。イメージログ保存エリア１０３ａは、イメージログ作成保存処理部１０１ｂにより画像データをイメージログとして保存する。
【００１４】
操作パネル１０４は、管理者またはユーザーによる操作や設定を受け付ける。また、操作パネル１０４には、画像形成装置１００が備えている機能の操作項目や設定項目の画面、管理者またはユーザーに通知するメッセージを表示する。
【００１５】
操作パネル処理部１０５は、画像形成装置１００が備えている機能の操作項目の画面を操作パネル１０４に表示する処理、操作パネル１０４から入力される管理者またはユーザーの操作や設定を入力する処理、及び画像形成装置１００の状態を管理者またはユーザーに知らせるためのメッセージを操作パネル１０４に表示する処理を行う。
【００１６】
スキャナー部１０６は、画像形成装置１００の原稿載置台にセットされた原稿のスキャンを行うことで原稿をデジタル化するもので、スキャン要求を入力すると、スキャナー部１０６は原稿載置台の原稿をスキャンし、原稿をデジタル化したデータ（以下、「デジタルデータ」という）を画像処理部１０７に出力する。また、スキャナー部１０６は、白紙ページを含めるスキャン設定（白紙ページ画像不作成機能無）がされているときには原稿の白紙ページを画像データとして残し、白紙ページを除くスキャン設定（白紙ページ画像不作成機能有）がされているときには原稿の白紙ページを画像データとして残さない。
【００１７】
画像処理部１０７は、画像作成要求を入力すると、スキャナー部１０６から原稿のデジタルデータを入力し、デジタルデータから画像属性情報を作成し、またデジタルデータの文字情報をビットマップグラフィクス（ラスター形式のデータ）に変換して画像化（ラスタライズ）した原稿の画像データを作成する。また、画像処理部１０７は、白紙ページ画像を登録する設定がされているときには、白紙ページを検出すると画像属性情報に白紙ページ画像の情報を登録し、画像データに白紙ページ画像を登録する。画像処理部１０７は、白紙ページ画像を登録しない設定がされているときには、白紙ページを検出すると画像属性情報に白紙ページ画像の情報を登録し、画像データに白紙ページ画像を登録しない。
【００１８】
画像印刷部１０８は、ユーザーからの印刷要求を操作パネル処理部１０５から入力すると、画像ドキュメントボックス１０２ａに保存されている原稿の画像属性情報及び画像データにより原稿の画像データを用紙に印刷する。
【００１９】
ネットワーク通信部１０９は、ネットワーク２００に接続するための着脱可能なＬＡＮインターフェースを備えている。ＬＡＮインターフェースには、ＴＣＰ／ＩＰ、ＡｐｐｌｅＴａｌｋ、ＳＭＢ等の各種ネットワークプロトコルのインテリジェントな送受信を行うネットワーク部を含んでいる。
【００２０】
次に、画像ドキュメントボックス１０２ａのディレクトリー構成について、図２を用いて説明する。画像ドキュメントボックス１０２ａは、オリジナル画像属性情報ディレクトリー１０２ａ１、オリジナル画像データディレクトリー１０２ａ２、サムネイル画像属性情報ディレクトリー１０２ａ３、サムネイル画像データディレクトリー１０２ａ４、プレビュー画像属性情報ディレクトリー１０２ａ５、及びプレビュー画像データディレクトリー１０２ａ６が設けられている。オリジナル画像属性情報ディレクトリー１０２ａ１は、画像処理部１０７が作成した画像属性情報（以下、「オリジナル画像属性情報」という）ファィルが設けられている。オリジナル画像データディレクトリー１０２ａ２は、画像処理部１０７が作成し、画像登録保存処理部１０１ａによって作成された画像データ（以下、「オリジナル画像データ」という）ファィルが設けられている。サムネイル画像属性情報ディレクトリー１０２ａ３は、サムネイル画像の作成要求によりオリジナル画像属性情報から作成したサムネイルの画像属性情報ファイルが設けられている。サムネイル画像データディレクトリー１０２ａ４は、サムネイル画像の作成要求によりオリジナル画像データから作成したサムネイルの画像データファィルが設けられている。プレビュー画像属性情報ディレクトリー１０２ａ５は、プレビュー画像の作成要求によりオリジナル画像属性情報から作成したプレビューの画像属性情報ファィルが設けられている。プレビュー画像データディレクトリー１０２ａ６は、プレビュー画像の作成要求によりオリジナル原稿データから作成したプレビュー画像データファィルが設けられている。
【００２１】
次に、原稿の白紙ページをスキャンして作成した白紙ページ画像をイメージログに出力するまでの設定と処理について、図３を用いて説明する。図３には、「原稿白紙ページスキャン設定」ｋ１、「白紙ページ画像登録設定」ｋ２、「白紙ページ画像登録処理」ｋ３、「白紙ページ画像イメージログ出力設定」ｋ４、及び「白紙ページ画像イメージログ出力処理」ｋ５の項目が設けられている。「原稿白紙ページスキャン設定」ｋ１、「白紙ページ画像登録設定」ｋ２、及び「白紙ページ画像イメージログ出力設定」ｋ４は管理者が設定する項目であり、「白紙ページ画像登録処理」ｋ３及び「白紙ページ画像イメージログ出力処理」ｋ５は、画像形成装置１００が行う処理の内容である。
【００２２】
「原稿白紙ページスキャン設定」ｋ１は、原稿の白紙ページを検出した場合に画像データとして残すか否かの設定項目であり、原稿の白紙ページを画像データとして残すときには「白紙ページ画像不作成機能無」を設定し、原稿の白紙ページを画像データとして残さないときには「白紙ページ画像不作成機能有」を設定する。
「白紙ページ画像登録設定」ｋ２は、白紙ページ画像を登録するか否かの設定項目であり、白紙ページ画像を登録するときには「登録有」を設定し、白紙ページ画像を登録しないときには「登録無」を設定する。
「白紙ページ画像登録処理」ｋ３は、「原稿白紙ページスキャン設定」ｋ１に「スキャン有」が設定されている場合において、「白紙ページ画像登録設定」ｋ２に「登録有」が設定されているときには、スキャンされた原稿の画像から白紙ページ画像を検出すると、白紙ページ画像を画像属性情報と画像データを登録する。また、「白紙ページ画像登録処理」ｋ３は、「原稿白紙ページスキャン設定」ｋ１に「白紙ページ画像不作成機能無」が設定されている場合において、「白紙ページ画像登録設定」ｋ２に「登録無」が設定されているときには、スキャンされた原稿の画像から白紙ページ画像を検出すると、白紙ページ画像を画像属性情報に登録するが画像データには登録しない。また、「白紙ページ画像登録処理」ｋ３は、「原稿白紙ページスキャン設定」ｋ１に「白紙ページ画像不作成機能有」が設定されているときには、原稿の白紙ページは画像データとして残されないので、白紙ページ画像は画像属性情報と画像データに登録されない。
【００２３】
「白紙ページ画像イメージログ出力設定」ｋ４は、白紙ページ画像をイメージログに出力するか否かの設定項目であり、白紙ページ画像をイメージログに出力するときには「出力有」を設定し、白紙ページ画像をイメージログに出力しないときには「出力無」を設定する。
「白紙ページ画像イメージログ出力処理」ｋ５は、「原稿白紙ページスキャン設定」ｋ１に「白紙ページ画像不作成機能無」及び「白紙ページ画像登録設定」ｋ２に「登録有」が設定されている場合において、「白紙ページ画像イメージログ出力設定」ｋ４に「出力有」が設定されているときには、原稿からスキャンした白紙ページ画像を含めた画像をイメージログとして出力し、「白紙ページ画像イメージログ出力設定」ｋ４に「出力無」が設定されているときには、白紙ページ画像を含めない画像をイメージログとして出力する。また、「白紙ページ画像イメージログ出力処理」ｋ５は、「原稿白紙ページスキャン設定」ｋ１に「白紙ページ画像不作成機能無」及び「白紙ページ画像登録設定」ｋ２に「登録無」が設定されている場合において、「白紙ページ画像イメージログ出力設定」ｋ４に「出力有」が設定されているときには、画像属性情報から作成した白紙ページ画像を含めた画像をイメージログとして出力し、「白紙ページ画像イメージログ出力設定」ｋ４に「出力無」が設定されているときには、白紙ページ画像を含めない画像をイメージログとして出力する。また、「白紙ページ画像イメージログ出力処理」ｋ５は、「原稿白紙ページスキャン設定」ｋ１に「白紙ページ画像不作成機能有」が設定されているときには、原稿から白紙ページは画像データとして残されないので、白紙ページ画像はイメージログとして出力されない。
【００２４】
次に、本発明の実施形態に係る画像形成装置１００の画像登録保存処理部１０１ａが実行する画像登録保存処理について、図４を用いて説明する。
ユーザーが原稿載置台に原稿をセットして操作パネル１０４からユーザーＩＤを設定し、「原稿白紙ページスキャン設定」ｋ１、「白紙ページ画像登録設定」ｋ２、及び「白紙ページ画像イメージログ出力設定」ｋ４を設定して画像登録保存ジョブ実行要求を行うと、制御部１０１が画像登録保存処理部１０１ａを起動する。画像登録保存処理部１０１ａが起動されると、画像登録保存処理部１０１ａは画像登録保存処理を開始する。以下、図４に示す画像登録保存処理のステップ順に説明する。
【００２５】
（ステップＳ１０１）
まず、画像登録保存処理部１０１ａは、操作パネル１０４から設定されたユーザーＩＤを操作パネル処理部１０５から入力する。
【００２６】
（ステップＳ１０２）
次いで、画像登録保存処理部１０１ａは、操作パネル１０４から設定された「原稿白紙ページスキャン設定」ｋ１を操作パネル処理部１０５から入力すると、「白紙ページ画像不作成機能無」または「白紙ページ画像不作成機能有」のどちらが設定されているかを判定する。「白紙ページ画像不作成機能無」が設定されているとき（ステップＳ１０２のＹｅｓ）は、ステップＳ１０３に進む。「白紙ページ画像不作成機能有」が設定されているとき（ステップＳ１０２のＮｏ）は、ステップＳ１０７に進む。
【００２７】
（ステップＳ１０３）
ステップＳ１０２のＹｅｓにおいて、画像登録保存処理部１０１ａは、スキャナー部１０６に原稿の白紙ページを含めるスキャン設定のスキャン要求を出力すると、スキャナー部１０６は原稿載置台にセットされた原稿の白紙ページを含めてスキャンを行って作成した原稿のデジタルデータを画像処理部１０７に出力する。
【００２８】
（ステップＳ１０４）
次いで、画像登録保存処理部１０１ａは、操作パネル１０４から設定された「白紙ページ画像登録設定」ｋ２を操作パネル処理部１０５から入力すると、「登録有」または「登録無」のどちらが設定されているかを判定する。「登録有」が設定されているとき（ステップＳ１０４のＹｅｓ）は、ステップＳ１０５に進む。「登録無」が設定されているとき（ステップＳ１０４のＮｏ）は、ステップＳ１０６に進む。
【００２９】
（ステップＳ１０５）
ステップＳ１０４のＹｅｓにおいて、画像登録保存処理部１０１ａは、画像処理部１０７に白紙ページ画像を登録する設定の画像作成要求を出力すると、画像処理部１０７はスキャナー部１０６から原稿のデジタルデータを入力する。次いで、画像登録保存処理部１０１ａは、原稿のデジタルデータから白紙ページを検出すると、白紙ページ画像情報を登録した画像属性情報及び白紙ページ画像を登録した画像データを作成し、ステップＳ１０９に進む。
【００３０】
（ステップＳ１０６）
ステップＳ１０４のＮｏにおいて、画像登録保存処理部１０１ａは、画像処理部１０７に白紙ページ画像を登録しない要求を出力すると、画像処理部１０７はスキャナー部１０６から原稿のデジタルデータを入力する。次いで、画像登録保存処理部１０１ａは、原稿のデジタルデータから白紙ページを検出すると、白紙ページ画像情報を登録した画像属性情報を作成し、白紙ページ画像を登録しない画像データを作成すると、ステップＳ１０９に進む。
【００３１】
（ステップＳ１０７）
ステップＳ１０２のＮｏにおいて、画像登録保存処理部１０１ａは、スキャナー部１０６に原稿の白紙ページを除くスキャン設定のスキャン要求を出力すると、スキャナー部１０６は原稿載置台にセットされた原稿の白紙ページを除いて作成した原稿のデジタルデータを画像処理部１０７に出力する。
【００３２】
（ステップＳ１０８）
次いで、画像登録保存処理部１０１ａは、画像処理部１０７に画像作成要求を出力すると、画像処理部１０７はスキャナー部１０６から原稿のデジタルデータを入力し、画像処理部１０７が画像属性情報と画像データを作成する。
【００３３】
（ステップＳ１０９）
次いで、画像登録保存処理部１０１ａは、ステップＳ１０１で入力したユーザーＩＤ及び現在日時を名称とするファイルをオリジナル画像属性情報ディレクトリー１０２ａ１に作成する。
【００３４】
（ステップＳ１１０）
次いで、画像登録保存処理部１０１ａは、ステップＳ１０５、ステップＳ１０６、またはステップＳ１０８で作成した画像属性情報を、ステップＳ１０９で作成したオリジナル画像属性情報ディレクトリー１０２ａ１のファイルに保存する。
【００３５】
（ステップＳ１１１）
次いで、画像登録保存処理部１０１ａは、ステップＳ１０１で入力したユーザーＩＤ及び現在日時を名称とするファイルをオリジナル画像データディレクトリー１０２ａ２に作成する。
【００３６】
（ステップＳ１１２）
次いで、画像登録保存処理部１０１ａは、ステップＳ１０５、ステップＳ１０６、またはステップＳ１０８で作成した画像データを、ステップＳ１１１で作成したオリジナル画像データディレクトリー１０２ａ２のファイルに保存する。
【００３７】
（ステップＳ１１３）
次いで、画像登録保存処理部１０１ａは、イメージログ作成保存処理部１０１ｂを起動すると、画像登録保存処理を終了する。
【００３８】
次に、本発明の実施形態に係る画像形成装置１００のイメージログ作成保存処理部１０１ｂが実行するイメージログ作成処理について、図５を用いて説明する。
イメージログ作成保存処理部１０１ｂが画像登録保存処理部１０１ａにより起動されると、イメージログ作成保存処理部１０１ｂはイメージログ作成保存処理を開始する。以下、図５に示すイメージログ作成保存処理のステップ順に説明する。
【００３９】
（ステップＳ２０１）
まず、イメージログ作成保存処理部１０１ｂは、操作パネル１０４から設定されたユーザーＩＤを操作パネル処理部１０５から入力する。
【００４０】
（ステップＳ２０２）
次いで、イメージログ作成保存処理部１０１ｂは、操作パネル１０４から設定された「原稿白紙ページスキャン設定」ｋ１を操作パネル処理部１０５から入力すると、「白紙ページ画像不作成機能無」または「白紙ページ画像不作成機能有」のどちらが設定されているかを判定する。「白紙ページ画像不作成機能無」が設定されているとき（ステップＳ２０２のＹｅｓ）は、ステップＳ２０３に進む。「白紙ページ画像不作成機能有」が設定されているとき（ステップ２０２のＮｏ）は、ステップＳ２１０に進む。
【００４１】
（ステップＳ２０３）
ステップＳ２０２のＹｅｓにおいて、イメージログ作成保存処理部１０１ｂは、操作パネル１０４から設定された「白紙ページ画像登録設定」ｋ２を操作パネル処理部１０５から入力すると、「登録有」または「登録無」のどちらが設定されているかを判定する。「登録有」が設定されているとき（ステップＳ２０３のＹｅｓ）は、ステップＳ２０４に進む。「登録無」が設定されているとき（ステップＳ２０３のＮｏ）は、ステップＳ２０７に進む。
【００４２】
（ステップＳ２０４）
ステップＳ２０３のＹｅｓにおいて、イメージログ作成保存処理部１０１ｂは、操作パネル１０４から設定された「白紙ページ画像イメージログ出力設定」ｋ４を操作パネル処理部１０５から入力すると、「出力有」または「出力無」のどちらが設定されているかを判定する。「出力有」が設定されているとき（ステップＳ２０４のＹｅｓ）は、ステップＳ２０５に進む。「出力無」が設定されているとき（ステップＳ２０４のＮｏ）は、ステップＳ２０６に進む。
【００４３】
（ステップＳ２０５）
ステップＳ２０４のＹｅｓにおいて、イメージログ作成保存処理部１０１ｂは、原稿からスキャンした白紙ページ画像を画像データとして残した画像のイメージログを作成し、ステップＳ２１１に進む。
【００４４】
（ステップＳ２０６）
ステップＳ２０４のＮｏにおいて、イメージログ作成保存処理部１０１ｂは、原稿からスキャンした白紙ページ画像を含まない画像のイメージログを作成し、ステップＳ２１１に進む。
【００４５】
（ステップＳ２０７）
ステップＳ２０３のＮｏにおいて、イメージログ作成保存処理部１０１ｂは、操作パネル１０４から設定された「白紙ページ画像イメージログ出力設定」ｋ４を操作パネル処理部１０５から入力すると、「出力有」または「出力無」のどちらが設定されているかを判定する。「出力有」が設定されているとき（ステップＳ２０７のＹｅｓ）は、ステップＳ２０８に進む。「出力無」が設定されているとき（ステップＳ２０７のＮｏ）は、ステップＳ２０９に進む。
【００４６】
（ステップＳ２０８）
ステップＳ２０７のＹｅｓにおいて、イメージログ作成保存処理部１０１ｂは、画像属性情報から作成した白紙ページ画像を含めた画像のイメージログを作成し、ステップＳ２１１に進む。
【００４７】
（ステップＳ２０９）
ステップＳ２０７のＮｏにおいて、イメージログ作成保存処理部１０１ｂは、白紙ページ画像を含まない画像のイメージログを作成し、ステップＳ２１１に進む。
【００４８】
（ステップＳ２１０）
ステップＳ２０２のＮｏにおいて、イメージログ作成保存処理部１０１ｂは、白紙ページ画像を画像データとして残さない画像をイメージログとして作成し、ステップＳ２１１に進む。
【００４９】
（ステップＳ２１１）
次いで、イメージログ作成保存処理部１０１ｂは、ステップＳ２０１で入力したユーザーＩＤ及び現在日時を名称とするファイルをイメージログ保存エリア１０３ａに作成する。
【００５０】
（ステップＳ２１２）
次いで、イメージログ作成保存処理部１０１ｂは、ステップＳ２０５、ステップＳ２０６、ステップＳ２０８、ステップＳ２０９、またはステップＳ２１０で作成したイメージログを、ステップＳ２１１で作成したイメージログ保存エリア１０３ａのファイルに保存し、イメージログ作成保存処理を終了する。
【００５１】
以上のように、白紙ページ画像が画像属性情報及び画像データに登録されないので、記憶容量を節約することができる。
また、管理者が原稿の白紙ページをスキャンする設定を行い、白紙ページ画像を登録する設定を行ったときに白紙ページ画像が画像属性情報及び画像データに登録され、白紙ページ画像を登録しない設定を行ったときには白紙ページ画像が画像データに登録されないので記憶容量を節約することができる。
また、管理者が原稿の白紙ページをスキャンする設定及び白紙ページ画像を登録する設定を行い、白紙ページ画像イメージログ出力を行う設定を行ったときには、スキャンされた白紙ページの白紙ページ画像が出力されるので、管理者は原稿に白紙ページが何ページあったかを正確に確認することができ、また、白紙ページと見なされた原稿に機密情報が隠蔽されていないかを確認することができる。更に、白紙ページ画像イメージログ出力をしない設定を行ったときには、スキャンされた白紙ページの白紙ページ画像が出力されないが、必要に応じてスキャンされた白紙ページの白紙ページ画像を含んだ画像のイメージログを出力することができる。
また、管理者が原稿の白紙ページをスキャンする設定及び白紙ページ画像を登録しない設定を行い、白紙ページ画像イメージログ出力を行う設定を行ったときには、画像属性情報から白紙ページ画像が作成され出力されるので、管理者は原稿に白紙ページが何ページあったかを正確に確認することができる。更に、白紙ページ画像イメージログ出力をしない設定を行ったときには、画像属性情報から白紙ページ画像が作成されず出力されないが、必要に応じて画像属性情報から作成した白紙ページ画像を含んだ画像のイメージログを出力することができる。
また、イメージログが保存されているイメージログ保存エリア１０３ａのファィルにはユーザーＩＤと現在日時の名称が付けられているので、イメージログにおいて機密情報が検出されたときには、ユーザーＩＤによりユーザー、また現在日時によりイメージログが作成された日時を容易に確認することができる。更に、画像属性情報や画像データが保存されている画像ドキュメントボックス１０２ａのファイルにはユーザーＩＤと現在日時の名称が付けられているので、イメージログの画像に対応する画像属性情報と画像データを容易に判別することができる。
【００５２】
なお、実施形態においては、画像のイメージログを画像形成装置１００の記憶部１０３のイメージログ保存エリア１０３ａに保存するようにしたが、これに限定されず、ネットワーク２００に接続されている管理サーバーまたはファィルサーバー（以下、「外部サーバー」という）に画像のイメージログを送信し、外部サーバーのハードディスクドライブなどの記憶装置に設けられたイメージログ保存エリアに画像のイメージログを保存することも可能である。このように外部サーバーに画像のイメージログを送信することで、画像形成装置１００にはイメージログ保存エリア１０３ａを設ける必要がなくなり、また設定項目の「白紙ページ画像登録設定」ｋ２に「登録無」を設定することで、白紙ページ画像の画像データが画像ドキュメントボックス１０２ａに保存されないので、更に記憶容量を節約することができる。
【００５３】
また、画像属性情報、画像データ、及びイメージログをユーザーＩＤと現在日時の名称が付けられたファィルに保存するようにしたが、これに限定されず、画像属性情報、画像データ、及びイメージログの先頭または最後にユーザーＩＤと現在日時を付加してファイルに保存することも可能である。
【００５４】
また、ユーザーが原稿のスキャン要求を行うときに操作パネル１０４からユーザーＩＤを入力させるようにしたが、更にパスワードを入力させることで、ユーザーＩＤのユーザーになりすまして機密情報の原稿がスキャンされることを防止できる。
【００５５】
このような本発明の画像形成装置及び画像処理システムは、イメージログの記憶容量の節約、イメージログにおける白紙原稿のページ数の確認、または白紙原稿に機密情報が隠蔽されていないかの確認を容易に行うことができる。
【００５６】
以上、具体的な実施の形態により本発明を説明したが、上記実施の形態は本発明の例示であり、この実施の形態に限定されないことは言うまでもない。
【産業上の利用可能性】
【００５７】
本発明は、画像形成装置及び画像処理システムに好適であるが、画像形成装置に限られるものではなく、画像データの保存が可能な装置及びシステム一般に適用できる。
【符号の説明】
【００５８】
１００・・・・・画像形成装置
１０１・・・・・制御部
１０１ａ・・・・画像登録保存処理部
１０１ｂ・・・・イメージログ作成保存処理部
１０２・・・・・補助記憶部
１０２ａ・・・・画像ドキュメントボックス
１０２ａ１・・・オリジナル画像属性情報ディレクトリー
１０２ａ２・・・オリジナル画像データディレクトリー
１０２ａ３・・・サムネイル画像属性情報ディレクトリー
１０２ａ４・・・サムネイル画像データディレクトリー
１０２ａ５・・・プレビュー画像属性情報ディレクトリー
１０２ａ６・・・プレビュー画像データディレクトリー
１０３・・・・・記憶部
１０３ａ・・・・イメージログ保存エリア
１０４・・・・・操作パネル
１０５・・・・・操作パネル処理部
１０６・・・・・スキャナー部
１０７・・・・・画像処理部
１０８・・・・・画像印刷部
１０９・・・・・ネットワーク通信部
２００・・・・・ネットワーク
ｋ１・・・・・設定項目「原稿白紙ページスキャン設定」
ｋ２・・・・・設定項目「白紙ページ画像登録設定」
ｋ３・・・・・処理内容「白紙ページ画像登録処理」
ｋ４・・・・・設定項目「白紙ページ画像イメージログ出力設定」
ｋ５・・・・・処理内容「白紙ページ画像イメージログ出力処理」
【図１】
0005960112.tif 000002
【図２】
0005960112.tif 000003
【図３】
0005960112.tif 000004
【図４】
0005960112.tif 000005
【図５】
0005960112.tif 000006